(57)【要約】【課題】簡易な折り曲げ作業により所望の形状を保ち得る反射シートを備える照明装置等を提供することにある。【解決手段】照明装置３は、底板内面に光源が配置された箱形の筐体５と、該筐体５の内側を、前記底板５３及び前記底板５３から立ち上がる側板５４を含めて被覆する反射シート４とを備える照明装置３において、前記反射シート４は、前記底板５３を被覆する矩形の底板被覆部と、該底板被覆部の周囲を折り線に沿って同向きに折り曲げて形成され、前記側板を被覆する側板被覆部とを備え、前記折り線は、長寸の切込み部と短寸の非切込み部とを交互に並べて形成されており、前記底板被覆部の角部には、他の非切込み部よりも長寸の非切込み部が配してある。【選択図】図３
2017004643.tif 000002
【特許請求の範囲】
【請求項１】
底板内面に光源が配置された箱形の筐体と、該筐体の内側を、前記底板及び前記底板から立ち上がる側板を含めて被覆する反射シートとを備える照明装置において、
前記反射シートは、
前記底板を被覆する矩形の底板被覆部と、
該底板被覆部の周囲を折り線に沿って同向きに折り曲げて形成され、前記側板を被覆する側板被覆部とを備え、
前記折り線は、
長寸の切込み部と短寸の非切込み部とを交互に並べて形成されており、
前記底板被覆部の角部には、他の非切込み部よりも長寸の非切込み部が配してあること
を特徴とする照明装置。
【請求項２】
前記切込み部の長さと、前記底板被覆部の角部以外に設けられた非切込み部の長さとの比率は、７対２であること
を特徴とする請求項１に記載の照明装置。
【請求項３】
前記筐体は、
前記側板の縁部に前記筐体の角部から離隔した位置に突設された係止爪を備え、
前記反射シートは、
前記反射シートの角部から離隔した位置に設けられ、前記係止爪に係止される係止片
を備えることを特徴とする請求項１又は請求項２に記載の照明装置。
【請求項４】
前記反射シートは、矩形状であり、
前記筐体の角部を覆う覆い片を備えること
を特徴とする請求項１から請求項３のいずれか１つに記載の照明装置。
【請求項５】
前記反射シートは、矩形状であり、
前記筐体の角部を覆う覆い片を備え、
前記係止片と覆い片は一体である請求項３に記載の照明装置。
【請求項６】
請求項１から請求項５のいずれか１つに記載の照明装置と、
該照明装置に対向配置された表示パネルとを備え、
前記照明装置からの出射光を前記表示パネルの背面に照射し、該表示パネルの正面に画像を表示するように構成してあること
を特徴とする表示装置。
【請求項７】
請求項６に記載の表示装置と、
テレビジョン放送を受信する受信部とを備え、
前記受信部で受信したテレビジョン放送に基づいて前記表示パネルに映像を表示するようにしてあること
を特徴とするテレビジョン受信機。
【発明の詳細な説明】
【技術分野】
【０００１】
本発明は、筐体の底部に載置された反射シートを備える照明装置等に関する。
【背景技術】
【０００２】
近年広く使用されている液晶表示装置は液晶パネルの背面側に照明装置を配し、照明装置の発光を液晶パネルにより変調して透過させ、該液晶パネルの正面に画像を表示するように構成されている。
【０００３】
照明装置としては、液晶パネルの背面全体に対向する位置に光源を配置する直下型と、液晶パネルの端面に対向する位置に光源を配置するエッジライト型とが採用されている。
【０００４】
直下型の照明装置は、底板内面に光源が配置された箱形のバックライトシャーシ（筐体）と、バックライトシャーシの内側を、底板及び底板から立ち上がる側板を含めて被覆する反射シートとを備えており、光源が発した光は、直接又は反射シートにより反射されて底板に対向する開口部に達し、該開口部から出射される（例えば、特許文献１）。
【先行技術文献】
【特許文献】
【０００５】
【特許文献１】特開２００６−２４４８３号公報
【発明の概要】
【発明が解決しようとする課題】
【０００６】
以上の如き照明装置に用いる反射シートは、バックライトシャーシの底板を被覆する矩形の底板被覆部と、バックライトシャーシの側板を被覆する側板被覆部とを備えている。側板被覆部は、底板被覆部の周囲を同向きに折り曲げて形成されるが、折り曲げ後の弾性復元により所望の形状が保てなくなる虞があり、弾性復元を考慮した折り曲げ作業に多くの手間及び時間を要するという問題があった。
【０００７】
本発明は斯かる事情に鑑みてなされたものであり、簡易な折り曲げ作業により所望の形状を保ち得る反射シートを備える照明装置等を提供することを目的とする。
【課題を解決するための手段】
【０００８】
本発明に係る照明装置は、底板内面に光源が配置された箱形の筐体と、該筐体の内側を、前記底板及び前記底板から立ち上がる側板を含めて被覆する反射シートとを備える照明装置において、前記反射シートは、前記底板を被覆する矩形の底板被覆部と、該底板被覆部の周囲を折り線に沿って同向きに折り曲げて形成され、前記側板を被覆する側板被覆部とを備え、前記折り線は、長寸の切込み部と短寸の非切込み部とを交互に並べて形成されており、前記底板被覆部の角部には、他の非切込み部よりも長寸の非切込み部が配してあることを特徴とする。
【０００９】
本発明に係る照明装置は、前記切込み部の長さと、前記底板被覆部の角部以外に設けられた非切込み部の長さとの比率は、７対２であることを特徴とする。
【００１０】
本発明に係る照明装置は、前記筐体は、前記側板の縁部に前記筐体の角部から離隔した位置に突設された係止爪を備え、前記反射シートは、前記反射シートの角部から離隔した位置に設けられ、前記係止爪に係止される係止片を備えることを特徴とする。
【００１１】
本発明に係る照明装置は、前記反射シートは、矩形状であり、前記筐体の角部を覆う覆い片を備えることを特徴とする。
【００１２】
本発明に係る照明装置は、前記反射シートは、矩形状であり、前記筐体の角部を覆う覆い片を備え、前記係止片と覆い片は一体である。
【００１３】
本発明に係る表示装置は、上述の照明装置と、該照明装置に対向配置された表示パネルとを備え、前記照明装置からの出射光を前記表示パネルの背面に照射し、該表示パネルの正面に画像を表示するように構成してあることを特徴とする。
【００１４】
本発明に係るテレビジョン受信機は、表示装置と、テレビジョン放送を受信する受信部とを備え、前記受信部で受信したテレビジョン放送に基づいて前記表示パネルに映像を表示するようにしてあることを特徴とする。
【発明の効果】
【００１５】
本発明によれば、作業員が反射シートの折り曲げ工程を容易にできる。
【図面の簡単な説明】
【００１６】
【図１】表示装置の外観斜視図である。
【図２】表示装置の外観斜視図である。
【図３】表示装置の要部構成を示す分解斜視図である。
【図４】バックライトシャーシの斜視図である。
【図５】成形前の反射シートの正面図である。
【図６】反射シートの一角部近傍の拡大図である。
【図７】バックライトシャーシに取り付けた反射シートを示す斜視図である。
【図８】反射シートの正面図である。
【図９】反射シートの正面図である。
【発明を実施するための形態】
【００１７】
実施の形態１
以下、本発明をその実施の形態を示す図面に基づいて詳述する。図１、図２は表示装置の外観斜視図である。図３は表示装置の要部構成を示す分解斜視図である。表示装置１は、フロントキャビネット２０、液晶パネル（表示パネル）２１、光学シート２２、ミドルキャビネット２３、リアキャビネット２４、バックライト（照明装置）３を備えている。
【００１８】
さらに図示の表示装置１は、受信部２９０及び信号処理部２９１を備えるテレビジョン受信機として構成されている。受信部２９０は、図示しないアンテナに接続され、該アンテナを介してテレビジョン放送を受信する。信号処理部２９１は、受信部２９０が受信したテレビジョン放送に係るデータを復調し、復調したデータから画像データを分離し、分離した画像データを出力する。液晶パネル２１は、信号処理部２９１が出力した画像データに基づく画像を表示する。
【００１９】
液晶パネル２１は、矩形板状をなし、一面（正面）に画像を表示する表示面を有する。フロントキャビネット２０は、金属製の矩形枠体であり、図１に示す如く、液晶パネル２１の正面側に表示面の周囲を囲うように嵌め合わされる。
【００２０】
光学シート２２は、拡散シート、ＢＥＦ（Brightness Enhance Film ）シート及び偏光シート等を積層して構成されており、図３に示す如く、液晶パネル２１の背面側に対向配置される。
【００２１】
ミドルキャビネット２３は、樹脂製の矩形枠体であり、液晶パネル２の外周を囲うように配置され、液晶パネル２及び光学シート２２の周縁部を背面側から支持する。
【００２２】
バックライト３は、反射シート４、バックライトシャーシ５及び光源５１を備える。
【００２３】
図４はバックライトシャーシ５の斜視図である。バックライトシャーシ５は、矩形状の底板５３と、該底板５３の４辺の夫々から立ち上がる側板５４とを備える金属製の箱体である。側板５４の縁部には、４箇所の角部の夫々から適長離隔した位置に、正面に向けて係止爪５２が突設されている。
【００２４】
光源５１は、短冊形をなす基板の一面に複数のＬＥＤを実装して構成されており、図３に示す如く、バックライトシャーシ５の底板５３上に縦横に並べ、ＬＥＤの実装面を開口側に向けて配置されている。
【００２５】
反射シート４は、図３に示す如く、矩形の底板被覆部４ａと、該底板被覆部４ａの周囲を後述の如く折り曲げ、正面側に立ち上げて形成された側板被覆部４ｂとを備える矩形の皿形に成形されており、バックライトシャーシ５の内側に、底板被覆部４ａ及び側板被覆部４ｂにより底板５３及び側板５４を夫々被覆するように装着される。底板被覆部４ａには、複数の開口４６が縦横に並設されている。これらの開口４６は、底板５３上に並ぶ光源５１のＬＥＤに対応する位置に設けられ、各ＬＥＤは、夫々の開口４６を経て正面側に露出させてある。
【００２６】
図５は成形前の反射シート４の正面図である。反射シート４は、矩形形状を有する中央の底板被覆部４ａと、該底板被覆部４ａの４辺の外側に夫々連続し、角部に設けた三角形の切り欠き部４４により分割された４つの側板被覆部４ｂとを備えている。底板被覆部４ａの周囲は、折り線４２により囲われており、４つの側板被覆部４ｂは、折り線４２に沿って同向きに折り曲げ、夫々の間の切り欠き部４４の対向縁を合わせることにより、図３に示す如く構成される。
【００２７】
折り線４２は、シート素材を切り込んで形成された切込み部４２ａと、切り込まずに残した非切込み部４２ｂとを交互に並べて形成されている、図４に示す如く、切込み部４２ａは、非切込み部４２ｂよりも長寸としてある。このように折り線４２を設けたことにより、前述した折り曲げによる側板被覆部４ｂの形成を容易に行わせることができ、また折り曲げ後の復元を防止し、反射シート４の形状を良好に維持することができる。
【００２８】
切込み部４２ａと非切込み部４２ｂとの長短比は適宜に設定可能であるが、非切込み部４２ｂが短い場合、折り曲げ後の反射シート４が折り線４２の位置で破断する虞がある。破断を回避するためには、非切込み部４２ｂの長さは２ｍｍ程度必要であり、この場合、切込み部４２ａの長さを７ｍｍ程度にすることにより、折り曲げの容易性と復元の防止とを実現することができる。即ち、切込み部４２ａの長さと非切込み部４２ｂの長さとの比率は、７対２であるのが望ましい。
【００２９】
図６は、反射シート４の一角部近傍の拡大図である。本図に示す如く、底板被覆部４ａの周囲の折り線４２は、角部に非切込み部４２ｃが位置するように形成されており、この非切込み部４２ｃの長さは、他の非切込み部４２ｂの長さよりも大きくしてある。その理由は、図中に破線の円により囲って示すように、底板被覆部４ａの角部には、切り欠き部４４の先端が近接しており、折り曲げに際して破断する虞が大きいためである。非切込み部４２ｃの長さは、非切込み部４２ｂの長さの２倍程度とするのが好ましい。
【００３０】
一方反射シート４は、４つの角部付近の両側に、側板被覆部４ｂの端縁から外向きに延びる８つのタブ（係止片）４１が折り線４１０による折り曲げ可能に設けてある。夫々のタブ４１には、前記角部から離れた位置に矩形の係止孔４１１が設けてある。係止孔４１１の位置及び形状は、バックライトシャーシ５に設けた係止爪５２に対応させてある。また反射シート４の長辺の両側に位置する４つのタブ４１には、角部側の端部に覆い片４１２が連設されている。
【００３１】
図７はバックライトシャーシ５に取り付けた反射シート４を示す斜視図である。反射シート４の取り付け手順は以下の通りである。前述の如く折り線４２に沿って折り曲げ成形された反射シート４は、底板５３を底板被覆部４ａで覆い、側板５４を側板被覆部４ｂで覆うようにバックライトシャーシ５の内側に取り付ける。このとき、タブ４１を折り線４１０に沿って折り曲げておき、各タブ４１に設けた係止孔４１１を側板５４の端縁に設けた係止爪５２に係止させる。反射シート４は、係止孔４１１と係止爪５２との係合により移動不可に取り付けることができる。
【００３２】
また、前述した４つのタブ４１に連設された覆い片４１２は、隣り合う側板５４、５４間の角部を覆うように位置する。
【００３３】
上述のように構成されたバックライト３においては、バックライトシャーシ５の底板５３上に並ぶＬＥＤの発光が、直接又は反射シート４により反射されてバックライトシャーシ５の開口部から出射される。この出射光は、開口部を覆う光学シート２２を通過し、均一な平面光として液晶パネル２１に照射される。
【００３４】
反射シート４の側板被覆部４ｂ、４ｂ間には、切り欠き部４４が存在しており、この切り欠き部４４からの漏れ光が発生する虞れがあるが、側板被覆部４ｂ、４ｂが被覆する隣り合う側板５４、５４間の角部は、覆い片４１２により覆われているから、漏れ光の発生を防止することができる。
【００３５】
本実施形態によれば、底板被覆部４ａの周囲に、長寸の切込み部４２ａと短寸の非切込み部４２ｂを並べて形成された折り線４２を設け、この折り線４２に沿う折り曲げにより側板被覆部４ｂを形成するから、簡易な折り曲げ作業により、弾性復元することなく所望の形状を保ち得る反射シート４を構成することができる。また底板被覆部４ａの角部の近傍には、他の非切込み部４２ｂよりも長寸の非切込み部４２ｃを設けたから、折り曲げに際しての破断を防止することができ、反射シート４の折り曲げ作業をより一層容易に実施することができる。
【００３６】
本実施形態によれば、反射シート４の角部近傍にのみタブ４１が設けてあり、該タブ４１の折り曲げ作業を容易に実施することができる。
【００３７】
本実施形態によれば、反射シート４は覆い片４１２を設けることで反射シート４の角部における光漏れを防止し、液晶パネル２１の画像表示面に生じる輝度ムラを低減し、画像品質を良好に保つことができる。
【００３８】
実施の形態２
図８は反射シート４の正面図である。以下、特に説明する構成、作用以外の構成及び作用は実施の形態１と同等であり、簡潔のため記載を省略する。反射シート４のタブ４１は係止孔４１１及び覆い片４１２の間を切断した矩形状の切り欠き部４１３を備える。
【００３９】
本実施形態によれば、反射シート４は切り欠き部４１３を設けることでタブ４１を実施の形態１より小さくできるため、タブ４１がさらに折り曲げやすくなり、反射シート４の折り曲げ作業をより一層容易に実施することができる。
【００４０】
実施の形態３
図９は反射シート４の正面図である。以下、特に説明する構成、作用以外の構成及び作用は実施の形態２と同等であり、簡潔のため記載を省略する。反射シート４のタブ４１は覆い片４１２が延設された方向に対して直交する方向に延設した覆い片４１４を備える。
【００４１】
本実施形態によれば、覆い片４１４を設けることで反射シート４の角部にできる隙間を覆い片４１２で覆うことで漏れ光の発生をさらに防止することができる。
【００４２】
本発明に係る照明装置３は、底板５３内面に光源５１が配置された箱形の筐体５と、該筐体５の内側を、前記底板５３及び前記底板５３から立ち上がる側板５４を含めて被覆する反射シート４とを備える照明装置３において、前記反射シート４は、前記底板５３を被覆する矩形の底板被覆部４aと、該底板被覆部４aの周囲を折り線４２に沿って同向きに折り曲げて形成され、前記側板５４を被覆する側板被覆部４ｂとを備え、前記折り線４２は、長寸の切込み部４２ａと短寸の非切込み部４２ｂとを交互に並べて形成されており、前記底板被覆部４ａの角部には、他の非切込み部４２ｂよりも長寸の非切込み部４２ｃが配してあることを特徴とする。
【００４３】
本実施形態によれば、底板被覆部４ａの周囲に、長寸の切込み部４２ａと短寸の非切込み部４２ｂを並べて形成された折り線４２を設け、この折り線４２に沿う折り曲げにより側板被覆部４ｂを形成するから、簡易な折り曲げ作業により、弾性復元することなく所望の形状を保ち得る反射シート４を構成することができる。また底板被覆部４ａの角部の近傍には、他の非切込み部４２ｂよりも長寸の非切込み部４２ｃを設けたから、折り曲げに際しての破断を防止することができ、反射シート４の折り曲げ作業をより一層容易に実施することができる。
【００４４】
本発明に係る照明装置３は、前記切込み部４２ａの長さと、前記底板被覆部４aの角部以外に設けられた非切込み部４２ｂの長さとの比率は、７対２であることを特徴とする。
【００４５】
破断を回避するためには、非切込み部４２ｂの長さは２ｍｍ程度必要であり、この場合、切込み部４２ａの長さを７ｍｍ程度にすることにより、折り曲げの容易性と復元の防止とを実現することができる。
【００４６】
本発明に係る照明装置３は、前記筐体５は、前記側板５４の縁部に前記筐体５の角部から離隔した位置に突設された係止爪５２を備え、前記反射シート４は、前記反射シート４の角部から離隔した位置に設けられ、前記係止爪５２に係止される係止片４１を備えることを特徴とする。
【００４７】
反射シート４は、係止孔４１１と係止爪５２との係合により移動不可に取り付けることができる。
【００４８】
本実施形態によれば、反射シート４は切り欠き部４１３を設けることでタブ４１を実施の形態１より小さくできるため、タブ４１がさらに折り曲げやすくなり、反射シート４の折り曲げ作業をより一層容易に実施することができる。
【００４９】
本発明に係る照明装置３は、前記反射シート４は、矩形状であり、前記筐体５の角部を覆う覆い片４１２を備えることを特徴とする。
【００５０】
本実施形態によれば、反射シート４は覆い片４１２を設けることで反射シート４の角部における光漏れを防止し、液晶パネル２１の画像表示面に生じる輝度ムラを低減し、画像品質を良好に保つことができる。
【００５１】
本発明に係る照明装置３は、前記反射シート４は、矩形状であり、前記筐体５の角部を覆う覆い片４１２を備え、前記係止片４１と覆い片４１２は一体である。
【００５２】
本実施形態によれば、反射シート４の角部近傍にのみタブ４１が設けてあり、該タブ４１の折り曲げ作業を容易に実施することができる。
【００５３】
本発明に係る表示装置１は、上述の照明装置３と、該照明装置３に対向配置された表示パネル２１とを備え、前記照明装置３からの出射光を前記表示パネル２１の背面に照射し、該表示パネル２１の正面に画像を表示するように構成してあることを特徴とする。
【００５４】
本発明に係るテレビジョン受信機は、表示装置１と、テレビジョン放送を受信する受信部２９０とを備え、前記受信部２９０で受信したテレビジョン放送に基づいて前記表示パネル２１に映像を表示するようにしてあることを特徴とする。
【００５５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５６】
１  表示装置
３  バックライト（照明装置）
２１  液晶パネル（表示パネル）
２９０  受信部
４  反射シート
４ａ  底板被覆部
４ｂ  側板被覆部
４１  タブ（係止片）
４１１  係止孔
４１２  覆い片
４２  折り線
４２ａ  切込み部
４２ｂ  非切込み部
４２ｃ  非切込み部
５  バックライトシャーシ（筺体）
５１  光源
５２  係止爪
５３  底板
５４  側板
【図１】
2017004643.tif 000003
【図２】
2017004643.tif 000004
【図３】
2017004643.tif 000005
【図４】
2017004643.tif 000006
【図５】
2017004643.tif 000007
【図６】
2017004643.tif 000008
【図７】
2017004643.tif 000009
【図８】
2017004643.tif 000010
【図９】
2017004643.tif 000011